(57)【要約】      （修正有）【課題】鼻から吸入される空気をろ過して確実に空気中の微細な汚染物、もしくは過敏症を引き起こす物質を隔離することができるとともに、単―のサイズで異なる大きさの鼻に対応でき、かつ使用上違和感のない鼻用フィルタを提供する。【解決手段】鼻腔に挿入する2つのフィルタ材と、該2つのフィルタ材を連結するＵ字状の連結部材とによってなり、該フィルタ材を該連結部材の両端縁部に固定する。【選択図】図１
0003123780.tif 000002
【実用新案登録請求の範囲】
【請求項１】
鼻腔に挿入する2つのフィルタ材と、該2つのフィルタ材を連結するＵ字状の連結部材とによってなり、該フィルタ材を該連結部材の両端縁部に固定することを特徴とする鼻用フィルタ。
【請求項２】
前記フィルタ材が不織布によってなることを特徴とする請求項1に記載の鼻用フィルタ。
【請求項３】
前記フィルタ材が円形か、もしくは球体に形成されることを特徴とする請求項１に記載の鼻用フィルタ。
【請求項４】
前記フィルタ材が適宜な厚さと可擦性を有する円形のフィルタ材であって、円の中心に貫通孔を穿設してなり、前記Ｕ字状の連結部材の両端縁部を該フィルタ材の貫通孔に挿通させて、該フィルタ材を該連結部材の両端縁部に固定することを特徴とする請求項1に記載の鼻用フィルタ。
【請求項５】
前記フィルタ材の外周から円の中心に向かって切り欠き状のスリット部を輻射状に複数形成することを特徴とする請求項1に記載の鼻用フィルタ。
【請求項６】
前記連結部材が透明のプラスチック材によってなることを特徴とする請 求項1に記載の鼻用フィルタ。
【請求項７】
前記連結部材は、プラスチック材によってなり、かつ両端縁部に近接した 位置につば状の当止部を設けることを特徴とする請求項１に記載の鼻用フィ
ルタ。
【請求項８】
前記連結部材の両端を該フィルタ材に穿設した貫通孔に挿入させ、かつ固定リングを該連結部材の両端縁部に嵌挿して該フィルタ材を前記当止部と固定リングとの間に固定することを特徴とする請求項7に記載の鼻用フィルタ。
【請求項９】
前記連結部材の両端縁部を該フィルタ材の貫通孔に挿入させ、かつ該連結部材の両端縁部に加熱、加圧して平面を有する端縁部とし、該フィルタ材を該当止部と該平面を有する端縁部との間に固定することを特徴とする請求項7に記載の鼻用フィルタ。
【考案の詳細な説明】
【技術分野】
【０００１】
この考案はフィルタに関し、特に空気中の過敏症を引き起こす物貫などが人体に進入しないように鼻を通過して体内に進入する空気をろ過するための鼻用フィルタに関する。
【背景技術】
【０００２】
通常、空気には粉塵、微細な繊維などの微罪な汚染物質、花粉などの過敏症を引き起こす物質、もしくはウイルスなどの病原菌が充満している。人が外出する場合、マスクをすることによってこれら汚染物、過敏症を引き起こす物質を隔離することができる。しかしながら、マスクは顔の形状に対して完全に合うとは限らない。また、マスクで口を密封する効果は、顔の形によって異なる。
よって、マスクで微細な汚染物、過敏症を引き起こす物質を完全に隔離することは難しい。さらには、銀行、レストランなどの―部の場所ではマスクを掛けた人の進入を歓迎しない。
【０００３】
但し、生活環境における空気の品質が日増しに悪化している現代では、空気の汚染の程度が悪化するにつれて、汚染された空気によって過敏症を引き起こす人口も次第に増加している。このため、マスクなどを利用して空気中の汚染物質を隔離する以外に、過敏症を防ぐための新規なフィルタの開発が望まれて
いる。
【０００４】
２００１年２月１日付で公告された台湾実用新案第００４２１０２９号は、 過敏症を引き起こす物質の体内への進入を防ぐための鼻用空気フィルタを提供するものであって、左右2つの鼻リングと、該鼻リングに設けるフィルタ材と、該2つの鼻リングを連結する連結リングとによってなり、フィルタ材を鼻の中に入れて使用する。その密閉の効果は―般のマスクに比して優れ、空気中の微細な汚染物、過敏症を引き起こす物質の隔離に好ましい効果が得られる。
【０００５】
しかしながら、上述する台湾実用新案第００４２１０２９号は、実際に使用する上で欠点を有する。即ち、使用する場合、フィルタネット、活性炭繊維の布を金属性の同心円のリングである鼻リング内に固定し、鼻リングの外部に突出した部分のフィルタ材は切断して除去する。使用した後は、針状の物体で金属製の同心円に形成された鼻リングの内部リングを取り外して、使用したフィルタ材を取り出す。ついで、鼻リングを洗浄して次の使用に供する。係る使用方法は面倒であるのみならず、金属製の鼻リングを重複して使用した場合、衛生上の問題が発生する恐れがある。
【０００６】
さらには、金属の同心円リングをフィルタ材の固定部材とするが、金属材による鼻リングは可撓性を具えないため、使用者は自身の鼻の大きさに合うサイズの鼻リングを選択しなければならない。サイズの大きい鼻リングを使用すれば鼻の穴に圧迫感を感じる。サイズの小さい鼻リングであれば好ましい密閉の効果が得られない。また、鼻の穴の外部下端に露出する連結リングは、なかなか人に受け入れられない。
【０００７】
その後、過敏症を引き起こす物質の体内への進入を防ぐための手段として、関連する技術が開発され陸続と発表されている。２００５年７月２１日付で公告された台湾実用新案Ｍ２７０８１８号には、鼻に挿入するフィルタが開示されている。該フィルタは空気室を形成した中空の本体を有し該本体の―端に、該空気室に連通する鼻挿入管を凸出するように設けるとともに、該本体内に空気の排出のみを行う単―方向のバルブ設ける。さらには、本体正面に該空気室に連通する通気窓を形成し、該通気窓にフィルタ材を設ける。
【０００８】
上述する鼻用のフィルタは、気密性に優れ、微細な汚染物、過敏症を引き起 こす物質などの隔離に好ましい効果が得られる。また、順調に呼吸することができるという利点を有する。しかしながら、中空の本体に、空気室に連通する鼻挿入管を設けるなどと構造が複雑である。また、該鼻用フィルタを着用した場合、使用中に鼻用フィルタが外れ落ちることを防ぐために本体の両側に弾性を有するバンドなどを設けなければならない。よって、製造コストは明らかに高く、しかも使用上極めて不便である。
【０００９】
２００５年８月２１日付公告の台湾実用新案Ｍ２７８３３５７号は、簡易な構造の鼻マスクを提供するものであって、可撓牲の材質によってなり、鼻の形状を呈するマスク本体と、少なくとも―以上のフィルタを有する。該マスク本体は、鼻の正面を覆う正面壁と、正面壁の底端に接続して鼻の底面を覆う底面壁とを具え、該底面壁には鼻の穴に対応する―対の通気孔を穿設する。また、該フィルタは底面壁に穿設する通気孔に着脱自在に設けて、鼻に吸入される空気をろ過する。
【００１０】
上述する鼻マスクは、可撓牲の材質によってなるマスク本体が鼻を覆うこと  によって、空気中の微細な汚染物、もしくは過敏症を引き起こす物質を隔離する効果が、通常のマスクに比して明らかに優れている。しかしながら、鼻の周囲のみを覆う鼻マスクの使用者は、その外観上の観点から公衆の場において使用するのをためらう傾向にある。よって、鼻マスクの外観についても検討する必要がある。
【００１１】
２００５年８月２１日付公告の台湾実用新案Ｍ２７３３５４号は、防寒の作用を兼ねる鼻マスクを提供するものであって、可撓牲の材質によってなり、かつ鼻の形状に沿って形成される鼻カバーを具えてなり、鼻の穴の対応する位置にカートリッジ式のフィルタを設ける接続孔を形成する。
【００１２】
上述する防寒の作用を兼ねる鼻マスク泣、空気中の微細な汚染物、もしくは過敏症を引き起こす物質を隔離する効果に優れているとともに、防寒と呼吸がよどみなく行われるための設計が施されていて、ともに好ましい効果が得られる。しかしながら、同様に、その外観上の観点から使用する意欲を削ぐことがあり、この点において問題が残る。
【特許文献１】台湾実用新案第００４２１０２９号公報
【特許文献２】台湾実用新案Ｍ２７０８１８号公報
【特許文献３】台湾実用新案Ｍ２７８３３５７号公報
【特許文献４】台湾実用新案Ｍ２７３３５４号公報
【考案の開示】
【考案が解決しようとする課題】
【００１３】
この考案は、鼻から吸入される空気をろ過して確実に空気中の微細な汚染物、
もしくは過敏症を引き起こす物質を隔離することができるとともに、単一のサイズで異なる大きさの鼻に対応でき、かつ使用上違和感のない鼻用フィルタを提供することを課題とする。
【課題を解決するための手段】
【００１４】
そこで、本考案者は、従来の技術に見られる欠点に基づいて鋭意研究を重ねた結果、鼻腔に挿入する2つのフィルタ材と、該2つのフィルタ材を連結するＵ字状の連結部材とによってなる鼻用フィルタの構造によって課題を解決できる点に着眼し、係る知見に基づいて本考案を完成させた。
【００１５】
以下、この考案について具体的に説明ずる。
請求項１に記載する鼻用フィルタは、鼻腔に挿入する2つのフィルタ材と、該2つのフィルタ材を連結するＵ字状の連結部材とによってなり、該フィルタ材を該連結部材の両端縁部に固定する。
【００１６】
請求項2に記載する鼻用フィルタは、請求項1におけるフィルタ材が不織布によってなる。
【００１７】
請求項3に記載する鼻用フィルタは、請求項１におけるフィルタ材が円形か、もしくは球体に形成される。
【００１８】
請求項4に記載する鼻用フィルタは、請求項１に記載する鼻用フィルタは、請求項1におけるフィルタ材が適宜な厚さと可撓性を有する円形のフィルタ材であって、円の中心に貫通孔を穿設してなり、前記Ｕ字状の連結部材の両端縁部を該フィルタ材の貫通孔に挿通させて、該フィルタ材を該連結部材の両端縁部に固定する。
【００１９】
請求項5に記載する鼻用フィルタは、請求項1におけるフィルタ材の外周から円の中心に向かって切り欠き状のスリット部を輻射状に複数形成する。
【００２０】
請求項6に記載する鼻用フィルタは、請求項1における連結部材が透明のプラスチック材によってなる。
【００２１】
請求項7に記載の鼻用フィルタは、請求項1における連結部材が、プラスチック材によってなり、かつ両齢縁部に近接した位置につぼ状の当止部を設ける。
【００２２】
請求項8に記載の鼻用フィルタは、請求項7における連結部材の両端を該フィルタ材に穿設した貫通孔に挿入させ、かつ固定リングを該連結部材の両端縁部に嵌挿して該フィルタ材を前記当止部と固定リングとの間に固定する。
【００２３】
請求項9に記載の鼻用フィルタは、請求項7における連結部材の両端縁部を該フィルタ材の貫通孔に挿入させ、かつ該連結部材の両端縁部に加熱、加圧して平面を有する端縁部とし、該フィルタ材を該当止部と該平面を有する端縁部との間に固定する。
【考案の効果】
【００２４】
この考案による鼻用フィルタは、空気中の微細な汚染物、もしくは過敏症を引き起こす物質が鼻から体内に進入することを確実に防ぐとともに、単―のサイズで異なる大きさの鼻腔に対応することができ、使用上違和感がなく、かつ外観上目立たないため、使用の意欲を削ぐことがないという利点を有する。
【００２５】
また、この考案による鼻用フィルタは、簡易な構造のため製造コストが低く、使い捨て式の鼻用フィルタとすることができるという利点を有する。
【考案を実施するための最良の形態】
【００２６】
この考案による鼻用フィルタは、図1に開示するよぅに、可撓性の材質で適宜な厚さに形成した円形のフィルタ材１をＵ字状の連結部材2で連結してなる。
【００２７】
フィルタ材１は、円の中心に貫通孔11を穿設してなり、連結部材2は両端縁部が貫通孔11を貫通してフィルタ材1に接続する。
【００２８】
連結部材2は、Ｕ字状を呈する管材によってなり、両端縁部21に近接した位置に、鍔状の当止部22を設ける。
【００２９】
考案におけるフィルタ材は可撓性を有する不織布などの材質を選択する。不織布によるフィルタ材は医療関係の設備、装置などに幅広く応用されている。
また、フィルタ材の厚さは鼻用フィルタの使用の目的、使用する環境などに基づく。即ち、空気に含まれる粉塵の種類、もしくは過敏症を引き起こす物質の種類などを考慮して厚さと通気性を調整して好ましい、ろ過の効果が得られるようにする。
【００３０】
図示するフィルタ材１を例に挙げると、可撓性の材質によってなるため、鼻腔の形状に沿って微小の変形が発生する。そのサイズは、フィルタ材が鼻腔に密接するように直径を鼻孔よりやや広くする。但し、形状泣鼻腔に密接し、かつ使用上、違和感を感じないという目的を達成できるのであれば、球形でも、楕円の球形であってもよい。
【００３１】
また、図2に開示するように、フィルタ材１は外周縁から円の中心に向かって輻射状に切欠き状のスリット部１２を形成してもよい。スリット部12を形成することによって、フィルタ材1の好ましい変形度が得られる。即ち、フィルタ材1を鼻に挿入した場合、スリット部12を形成した個所が―方向に揃ってやや変形する。このため、単―のサイズで異なる大きさの鼻腔に対応することができ、使用上違和感を与えることなく、かつ好ましいろ過の効果を確保することができる。
【００３２】
また、フィルタ材1のスリット部を形成することによって発生する周縁の角の部分を丸く修正して、花びらの形状にすることによって、使用時における使い心地を向上させることができる。
【００３３】
フィルタ材1と連結部材2とを連結して鼻用フィルタを構成する場合は連  結部材2の両端縁部91をフィルタ材1の貫通孔11に挿通させて個定リング23を嵌挿してワィルタ材1を固定リング23と連結部材2の当止部22との間に固定する。組み立てを完成させた状態を図3に開示する。
【００３４】
この考案による鼻用フィルタは、構造が単純であって、組み立ての作業も簡易である。このため生産コストを節減することができる。このため、使い捨ての鼻用フィルタとすることができる。即ち、フィルタ材を重複して使用する必要がなくなり、従来の技術に見られるように、使用する毎にフィルタ材を設ける必要がなくまた重複して使用するために分解して洗浄する必要もなくなる。
【００３５】
この考案による鼻用フィルタは、図示するフィルタ材１と連結部材2とを組み合わせる形態は、好ましい実施の形態を開示するものであって、実施の範囲を限定するものではない。例えば図Aに開示するように、連結部材の両端縁部をフィルタ材の貫通孔に挿通させた後、直接加熱、圧縮を加えて平坦な面を有する端縁部として、連結部材の当止部との間に固定してもよい。係る方式は、鼻用フィルタの組み立てをさらに簡易化するものであって生産コストもさらに低減させることができる。よって、使い捨て式として更に適している。
【００３６】
また、この考案における連結部材は透明のプラスチック材を用いてもよい。
透明のプラスチック材を使用することによって縦来の技術に見られるように鼻の下に金属材によるリングが突出して外観上使用する意欲を削ぐようなことがない。
【００３７】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【図面の簡単な説明】
【００３８】
【図１】この考案による鼻用フイルダの分解図である。
【図２】他の実施形態による鼻用フイルダの分解図である。
【図３】図2に開示する鼻用フィルタの斜視図である。
【図４】その他実施形態による鼻フィルタの斜視図である。
【符号の説明】
【００３９】
１    フィルタ材
11    貫通孔
12    スリット部
2     連結部材
21    端縁部
22    当止部
23    固定リング
【図１】
0003123780.tif 000003
【図２】
0003123780.tif 000004
【図３】
0003123780.tif 000005
【図４】
0003123780.tif 000006